(57)【要約】【課題】立て看板に製作コストが大幅に増大するような大きな改良を施すことなく、突風によって容易に倒伏しない立て看板を提供し、また、道路工事現場等の狭い設置スペースに適用できるように、立て看板の開脚角度を調節できるようにすること。【解決手段】開脚接地する前記看板１の支柱１Ａともう一方の看板３の支柱３Ａ又は支柱４とを支持する、接地部５Ａを備えた連結部材５、５を設け、該連結部材５の両端に前記支柱１Ａ，３Ａ又は４を嵌入させる嵌合部５Ｂ，５Ｂ，を夫々設け、且つ該連結部５を重りに構成してある。【選択図】      図１
2005227737.tif 000002
【特許請求の範囲】
【請求項１】
両端下部に夫々支柱１Ａを備えた１枚の看板１の上部に兆番２を備え、該兆番２に、同様の構成のもう１枚の看板３又は支柱４を開脚自在に取り付け、前記看板１（又は看板３の両方）を歩道等に設置するように構成した立て看板において、
前記看板１の支柱１Ａともう一方の看板３の支柱３Ａ又は支柱４とを支持する、接地部５Ａを備えた連結部材５、５を設け、
該連結部材５の両端に前記支柱１Ａ，３Ａ又は４を嵌入させる嵌合部５Ｂ，５Ｂ，を夫々設け、且つ該連結部５を重りに構成してある、立て看板。
【請求項２】
前記連結部５が長手方向で２分割され、長さ調節手段６が設けられ、且つ、前記連結部５の嵌合部５Ｂ，５Ｂ，が、横軸心回りに回動自在に構成され、前記看板１及び看板３又は支柱４の開脚角度を調節可能に構成されている請求項１の立て看板。
【請求項３】
前記長さ調節手段６が、２分割された連結部５の中間位置に介在されたターンバックルである請求項２の立て看板。
【請求項４】
前記長さ調節手段６が、２分割された連結部５の対向する端部を嵌合する繋ぎ部材６Ａと該繋ぎ部材６Ａと前記連結部５の端部との相対位置を固定する止め具６Ｂとから構成されている請求項２の立て看板。
【請求項５】
前記嵌合部５Ｂ，５Ｂに嵌合され、前記支柱１Ａ，３Ａ又は４の嵌合を助ける嵌合調節部材７が設けられている請求項１乃至請求項４の立て看板。
【発明の詳細な説明】
【技術分野】
【０００１】  本発明は、歩道等に立てて用いられる立て看板（標示板）に関するものである。
【技術背景】
【０００２】  簡便な構造の立て看板（標示板）は、道路工事、交通標識の表示や、一般の小型店舖等の宣伝手段として多用されている。こうした立て看板の基本的な構成は、両端下部に夫々支柱を備えた１枚の看板の上部に兆番を備え、該兆番に、同様の構成のもう１枚の看板又は支柱を開脚自在に取り付け、前記看板（又は看板の両方）を歩道等に設置出来るようにされている。例えば、前述の１枚看板方式であれば、登録実用新案第３０７６８１４号を参照。
【０００３】  この種の立て看板の問題点として、簡便な構造である割に比較的大きな表示面積を有するが故に風に弱いという弱点がある。尤も、小型とはいえ、板面に金属製板を用いると、１０Ｋｇ乃至２０Ｋｇの重量を有するが、突風が吹くと倒れてしまうのである。
【０００４】  この改善策として、次ぎの手段が提案されている。
【特許文献１】登録実用新案第３０２７８０７号。この考案では、看板の下部に大型の基台を設け、これに対して看板を装着させるようにしている。前記基台は、４つの脚（２つはキャスター）により支えられる構成である。
【特許文献２】特開平８−５０４５６。ここでは、開脚型の看板の下部にバラスト（重り）を受け入れる籠を設け、ここにバラストを入れて風対策としている。
【発明の開示】
【発明が解決しようとする課題】
【０００５】  風による立て看板の倒伏対策として、上記前者の特殊な基台を設けることは、その分コスト高を招くし、また、直立する１枚看板であれば、こうした基台の所定位置に嵌合、装着する方式でも良いが、２枚の開脚式の看板では適応出来ない。
また、上記後者の開脚式の立て看板にバラストを用いる方式は、特殊な基台を製作するよりも安価であるが、砂袋やウエイトを別途運び、立て看板の一部に載置、除去する手間も要する【０００６】  更に、これまでの簡易の立て看板で、一枚板、２枚板の看板の設置に際しては、道路工事や道路標識等では狭い設置スペースの場合も多々あるが、従来の看板の開脚角度が固定していると、設置上非常に不便であるという問題もある。【０００７】  そして、突風による倒伏について研究を重ねると、看板の自重（１０〜２０Ｋｇ）があっても、その支柱による４点支持の構造では、接地設置が小さく、１本の支柱が浮き上がってしまうと、容易に内部に風を含み、全体が滑り出してバランスを崩し、暫時浮き上がり現象が増幅して容易に倒伏に至ることが分かってきた。【０００８】  本発明は、かかる問題を解決し、立て看板に製作コストが大幅に増大するような大きな改良を施すことなく、突風によって容易に倒伏しない立て看板を提供し、また、道路工事現場等の狭い設置スペースに適用できるように、立て看板の開脚角度を調節できるようにすることを目的とする。
【課題を解決するための手段】
【０００９】  本発明にかかる立て看板は、上記目的を達成するために、両端下部に夫々支柱１Ａを備えた１枚の看板１の上部に兆番２を備え、該兆番２に、同様の構成のもう１枚の看板３又は支柱４を開脚自在に取り付け、前記看板１（又は看板３の両方）を歩道等に設置するように構成した立て看板において、前記看板１の支柱１Ａともう一方の看板３の支柱３Ａ又は支柱４とを支持する、接地部５Ａを備えた連結部材５、５を設け、該連結部材５の両端に前記支柱１Ａ，３Ａ又は４を嵌入させる嵌合部５Ｂ，５Ｂ，を夫々設け、且つ該連結部５を重りに構成してある、という手段を講じた。
【発明の効果】
【００１０】  本発明にかかる立て看板によれば、看板１の本来の支柱１Ａともう一方の看板３の支柱３Ａ又は支柱４とを支持する、接地部５Ａを備えた連結部材５、５を設けることと、該連結部材５の両端に前記支柱１Ａ，３Ａ又は４を嵌入させるの嵌合部５Ｂ，５Ｂ，を夫々設け、且つ該連結部５を重りに構成してあることで、立て看板の接地を、従来の看板の支柱（２枚看板の場合、或いは１枚看板ともう一方の支柱）の４点支持とするのではなく、底部にそれぞれ接地部５Ａを有する連結部材５，５でもって、摩擦抵抗の大きな状態で接地させることができ、突風によって看板が横滑りしようとしても、滑り抵抗が大きくて容易には移動しなくなり、また、１本の支柱を持ち上げようとしても、前後で連結されているので、容易に一方の支柱だけ持ち上がるものではなく、容易に浮き上がって突風を内部に含ませるといった事態を未然に回避できて、倒伏を防止できるのである。【００１１】  本発明において、上述の連結部５を重りに構成することとは、連結部５を、例えば、鋼板製として製作すれば、それ自体充分な重量を持つことになるし、構造も簡単に済むものである。
また、この連結部５に、鋼棒等の重りを簡便に敷設できるような構成としてもよいものである。
更に、本発明において、看板１は、フレーム、看板材等、看板を構成するものは、それ自体公知の構造のもの全てを対象としている。
【発明を実施するための最良の形態】
【００１２】  本発明の形態として、前記連結部５が長手方向で２分割され、長さ調節手段６が設けられ、且つ、前記連結部５の嵌合部５Ｂ，５Ｂ，が、横軸心回りに回動自在に構成され、前記看板１及び看板３又は支柱４の開脚角度を調節可能に構成されているのが好ましい。【００１３】  この構成によれば、前記連結部５の長さを調節し、且つ、その嵌合部５Ｂ、５Ｂの向きを調節できるので、看板１の開脚角度を調整することが出来て、その設置スペース（狭さ）或いは設置条件（視野）に鑑みて最良の傾斜角度で看板表示ができることになる。【００１４】  また、前記長さ調節手段６が、２分割された連結部５の中間位置に介在されたターンバックルであるのが好ましい。
この構成であれば、長さ調節の操作（開脚角度調節）が、工具を必要とすることなく、簡単に行い得る。【００１５】  更に、前記長さ調節手段６が、２分割された連結部５の対向する端部を嵌合する繋ぎ部材６Ａと該繋ぎ部材６Ａと前記連結部５の端部との相対位置を固定する止め具６Ｂとから構成されていても良い。
この構成であっても、長さ調節の操作を、工具を必要とすることなく、簡便に行い得る。特に、止め具６Ｂを蝶ナット等で構成した場合には、手指の回動操作で容易に行い得る。【００１６】  また、前記嵌合部５Ａ，５Ａに嵌合され、前記支柱１Ａ，３Ａ又は４の嵌合を助ける嵌合調節部材７が設けられているのが好ましい。
この嵌合調節部材７の存在によって、看板１の支柱１Ａ，３Ａ及び支柱４の太さが種々異なっても、適宜のサイズの嵌合調節部材７を準備しておくことで、上記連結部材５の嵌合部５Ｂ，５Ｂを改変しなくても、充分に適合できる利点がある。
【実施例１】
【００１７】  本発明にかかる立て看板の好適実施例１について、図面を参照して詳述する。
図１及び図２に示すように、ここでは、２枚の看板１、３を、その上辺を兆番２で開脚自在に連結した両面表示タイプの看板について説明する。この看板１の基本構成は、両端下部に夫々支柱１Ａを備えた１枚の看板１の上部に兆番２を備え、該兆番２に、同様の構成のもう１枚の看板３を開脚自在に取り付け、前記看板１と看板３の両方を歩道等に、所定の開脚角度で設置するように構成してある。【００１８】  そして、前記看板１の支柱１Ａともう一方の看板３の支柱３Ａとを支持する、接地部５Ａを備えた連結部材５、５を設ける。この連結部材５は、ここでは、厚みの鋼板製の筒状体で構成されており、それ自体重量を持っている。そして、この連結部材５の両端に前記支柱１Ａ，３Ａを嵌入させる嵌合部５Ｂ，５Ｂ，を夫々設けてある。【００１９】  更に、前記連結部５が長手方向で２分割され、長さ調節手段６が設けられ、且つ、前記連結部５の嵌合部５Ｂ，５Ｂ，が、枢支ピン８の横軸心回りに回動自在に構成され、これによって、前記看板１及び看板３又は支柱４の開脚角度を調節可能に構成されている。
また、前記長さ調節手段６は、２分割された連結部５の中間位置に介在されたターンバックルで構成されている。
【実施例２】
【００２０】  図３及び図４に示すように、この実施例２の立て看板１が一枚物であり、両端下部に夫々支柱１Ａを備えた１枚の看板１の上部近傍に兆番２を備え、該兆番２に、支柱４を開脚自在に取り付け、前記看板１を歩道等に設置するように構成したたものである。【００２１】  そして、前記看板１の支柱１Ａと前記支柱４とを支持する、接地部５Ａを備えた連結部材５、５を設けてあり、実施例１と同様に、該連結部材５の両端に前記支柱１Ａ，３Ａ又は４を嵌入させる嵌合部５Ｂ，５Ｂ，を夫々設け、且つ該連結部５を重り（鋼板製による）に構成してある。【００２２】  そして、この実施例では、前記長さ調節手段６が、２分割された連結部５の対向する端部を嵌合する繋ぎ部材６Ａと該繋ぎ部材６Ａと前記連結部５の端部との相対位置を固定する止め具６Ｂとから構成されている。【００２３】  更に、ここでは、前記嵌合部５Ｂ，５Ｂに嵌合され、前記支柱１Ａ，３Ａ又は４の嵌合を助ける嵌合調節部材７が設けられている。この嵌合調節部材７は、プラスチック或いは木製で、複数サイズのものが準備され、サイズの異なる支柱１Ａ，３Ａ又は４の立て看板１に適合できるようにされている。即ち、その一方端（前記嵌合部５Ｂ，５Ｂとの嵌め会い部分）は一定サイズであるが、他方の前記支柱１Ａ，３Ａ又は４の嵌合を成すところは、サイズを異ならしめたものが準備される。
【産業上の利用可能性】
【００２４】  本発明は、野ざらしで突風を受けやすい道路工事現場等における標識、或いは交通標識としての看板機能のみならず、一般店舗の宣伝広告用の看板として用いることができると共にその他の種々の目的の標示手段としても利用出来る。
【図面の簡単な説明】
【００２５】
【図１】実施例１の立て看板の全体の斜視図。
【図２】実施例１の立て看板の要部の斜視図。
【図３】実施例２の立て看板の全体の斜視図。
【図４】実施例２の立て看板の要部の斜視図。
【符号の説明】
１：看板
１Ａ：支柱
２：兆番
３：もう１つの看板
３Ａ：支柱
４：支柱
５：連結部
５Ａ：接地部
５Ｂ：嵌合部
６：長さ調節手段
６Ａ：繋ぎ部材
６Ｂ：止め具
７：嵌合調節部材
【図１】
2005227737.tif 000003
【図２】
2005227737.tif 000004
【図３】
2005227737.tif 000005
【図４】
2005227737.tif 000006